(57)【要約】【課題】特性の良好なアンテナ装置を提供する。【解決手段】アンテナ装置は、グランドエレメント側に配設される給電点から反対側の端部まで延伸する第１アンテナエレメントと、一端が第１アンテナエレメントの端部から離間して配設される第２アンテナエレメントと、第１アンテナエレメントの端部と、第２アンテナエレメントの一端との間に配設され、第１アンテナエレメントと第２アンテナエレメントとの接続状態を切り替えるスイッチと、平面視でグランドエレメントと重複する領域に設けられるスイッチ制御部に一端が接続され、一端から他端まで延伸する第１延伸部と、第１延伸部の他端から第２アンテナエレメントに沿って延伸し、スイッチの制御端子に接続される第２延伸部とを有し、平面視でグランドエレメントと重複しない領域に配設される、無給電素子と、グランドエレメントと、スイッチのグランド端子とを接続するグランドラインとを含む。【選択図】図３
2014192616.tif 000002
【特許請求の範囲】
【請求項１】
グランドエレメントと、
前記グランドエレメント側に配設される給電点から、前記給電点とは反対側の端部まで延伸する第１アンテナエレメントと、
一端が前記第１アンテナエレメントの前記端部から離間して配設される第２アンテナエレメントと、
前記第１アンテナエレメントの前記端部と、前記第２アンテナエレメントの前記一端との間に配設され、前記第１アンテナエレメントと前記第２アンテナエレメントとの接続状態を切り替えるスイッチと、
平面視で前記グランドエレメントと重複する領域に設けられるスイッチ制御部に一端が接続され、前記一端から他端まで延伸する第１延伸部と、前記第１延伸部の前記他端から前記第２アンテナエレメントに沿って延伸し、前記スイッチの制御端子に接続される第２延伸部とを有し、平面視で前記グランドエレメントと重複しない領域に配設される、無給電素子と、
前記グランドエレメントと、前記スイッチのグランド端子とを接続するグランドラインと
を含む、アンテナ装置。
【請求項２】
前記無給電素子は、前記スイッチがオンにされると、前記第２延伸部と前記第２アンテナエレメントとの結合によって前記第２アンテナエレメントから給電される、請求項１記載のアンテナ装置。
【請求項３】
前記無給電素子は、前記スイッチがオフにされると給電が行われない状態になる、請求項２記載のアンテナ装置。
【請求項４】
前記無給電素子の前記一端と、前記スイッチ制御部との間に直列に挿入される第１抵抗器と、
前記スイッチの前記制御端子に接続される前記無給電素子の他端と、前記制御端子との間に直列に挿入される第２抵抗器と
をさらに含む、請求項１乃至３のいずれか一項記載のアンテナ装置。
【請求項５】
前記第１アンテナエレメントと前記第２アンテナエレメントとの合計の長さは、第１共振周波数における波長の１／４の長さに対応するとともに、前記第１アンテナエレメントの長さは、前記第１共振周波数よりも高い異なる第２共振周波数における波長の１／４の長さに対応しており、
前記無給電素子は、前記第１共振周波数及び前記第２共振周波数とは異なる所定の共振周波数における波長の１／２の長さに対応する長さを有する、請求項１乃至５のいずれか一項記載のアンテナ装置。
【請求項６】
前記第１アンテナエレメントと前記第２アンテナエレメントとの合計の長さは、第１共振周波数における波長の１／４の長さに対応するとともに、前記第１アンテナエレメントの長さは、前記第１共振周波数よりも高い異なる第２共振周波数における波長の１／４の長さに対応しており、
前記グランドラインは、前記グランドエレメントに直接接続されるとともに、前記スイッチのグランド端子には抵抗器を介して接続されており、前記グランドラインは、前記第１共振周波数及び前記第２共振周波数とは異なる所定の共振周波数における波長の１／４の長さに対応する長さを有する、請求項１乃至５のいずれか一項記載のアンテナ装置。
【請求項７】
前記グランドラインの一端と前記グランドエレメントとの間に直列に挿入される第１抵抗部と、
前記グランドラインの他端と前記スイッチとの間に直列に挿入される第２抵抗部と
をさらに含むとともに、
前記グランドラインは、前記一端と前記他端との間から分岐し、先端が開放される分岐部を有しており、
前記第１アンテナエレメントと前記第２アンテナエレメントとの合計の長さは、第１共振周波数における波長の１／４の長さに対応するとともに、前記第１アンテナエレメントの長さは、前記第１共振周波数よりも高い異なる第２共振周波数における波長の１／４の長さに対応しており、
前記グランドラインの前記分岐部の前記先端と前記グランドラインの前記一端との間の長さ、又は、前記グランドラインの前記分岐部の前記先端と前記グランドラインの前記他端との間の長さは、前記第１共振周波数及び前記第２共振周波数とは異なる所定の共振周波数における波長の１／４の長さに対応する長さを有する、請求項１乃至５のいずれか一項記載のアンテナ装置。
【請求項８】
前記無給電素子又は前記グランドラインに直列に挿入される、平面視でテーパ状に形成されるテーパ部をさらに含む、請求項１乃至７のいずれか一項記載のアンテナ装置。
【発明の詳細な説明】
【技術分野】
【０００１】
本発明は、アンテナ装置に関する。
【背景技術】
【０００２】
従来より、自動車の車体、例えば、屋根の切り抜き又は誘電性トランク蓋を有するトランクの長方形部分の表面から構成された導電的に包囲された誘電性表面上に配置されるメートルおよびデシメートル波範囲用の自動車の誘電性表面上ダイバーシチアンテナがある（例えば、特許文献１参照）。
【０００３】
このダイバーシチアンテナでは、ほぼワイヤ形状のアンテナ導体を導電性構造体と平行に存在する誘電性表面の幅の１／４以下の間隔に誘電性表面の導電性構造体の少なくとも一部分と平行に取付けている。
【０００４】
また、ワイヤ形状のアンテナ導体には１対のアンテナ接続端子を有する遮断場所を備え、少なくとも１つの別の遮断場所に２極の電気的制御可能なインピーダンスネットワークを連続して一体的に設けている。
【０００５】
また、１対のアンテナ接続端子を有する遮断場所の位置と別の遮断場所の位置を制御可能なインピーダンスネットワークの種々の調整において使用し得るアンテナ信号がダイバーシチに関して適宜減結合される。
【０００６】
また、１又は複数の電子制御可能なインピーダンスネットワークに制御ラインを介して制御信号を伝送させている。
【先行技術文献】
【特許文献】
【０００７】
【特許文献１】特開２００２−３１４３１８号公報
【発明の概要】
【発明が解決しようとする課題】
【０００８】
しかしながら、従来のアンテナ装置は、アンテナ導体と、このアンテナ導体の脇に配設される制御ラインとの両方に高周波信号を供給するため、特性が低下するという課題がある。
【０００９】
そこで、特性の良好なアンテナ装置を提供することを目的とする。
【課題を解決するための手段】
【００１０】
本発明の実施の形態のアンテナ装置は、グランドエレメントと、前記グランドエレメント側に配設される給電点から、前記給電点とは反対側の端部まで延伸する第１アンテナエレメントと、一端が前記第１アンテナエレメントの前記端部から離間して配設される第２アンテナエレメントと、前記第１アンテナエレメントの前記端部と、前記第２アンテナエレメントの前記一端との間に配設され、前記第１アンテナエレメントと前記第２アンテナエレメントとの接続状態を切り替えるスイッチと、平面視で前記グランドエレメントと重複する領域に設けられるスイッチ制御部に一端が接続され、前記一端から他端まで延伸する第１延伸部と、前記第１延伸部の前記他端から前記第２アンテナエレメントに沿って延伸し、前記スイッチの制御端子に接続される第２延伸部とを有し、平面視で前記グランドエレメントと重複しない領域に配設される、無給電素子と、前記グランドエレメントと、前記スイッチのグランド端子とを接続するグランドラインとを含む。
【発明の効果】
【００１１】
特性の良好なアンテナ装置を提供することができる。
【図面の簡単な説明】
【００１２】
【図１】実施の形態１のアンテナ装置を含むスマートフォン端末機５００の正面側を示す斜視図である。
【図２】実施の形態１のアンテナ装置１００とアンテナ装置１００に関連する構成要素を示す平面図である。
【図３】実施の形態１のアンテナ装置１００を示す図である。
【図４】図２及び図３に示すアンテナ装置１００の主要部を拡大して示す図である。
【図５】実施の形態１のアンテナ装置１００の放射特性を示す図である。
【図６】実施の形態１の変形例のアンテナ装置１００Ａの主要部を拡大して示す図である。
【図７】実施の形態２のアンテナ装置の要部を示す図である。
【図８】実施の形態２のアンテナ装置の要部を示す図である。
【発明を実施するための形態】
【００１３】
以下、本発明のアンテナ装置を適用した実施の形態について説明する。
【００１４】
＜実施の形態１＞
図１は、実施の形態１のアンテナ装置を含むスマートフォン端末機５００の正面側を示す斜視図である。
【００１５】
実施の形態１のアンテナ装置を含むスマートフォン端末機５００は、正面側にタッチパネル５０１が配設され、タッチパネル５０１の下側には、ホームボタン５０２とスイッチ５０３が配設される。
【００１６】
図２は、実施の形態１のアンテナ装置１００とアンテナ装置１００に関連する構成要素を示す平面図である。図２では、直交座標系であるＸＹＺ座標系を定義する。また、以下では、Ｚ軸正方向側の面を表面と称し、Ｚ軸負方向側の面を裏面と称す。
【００１７】
図２には、スマートフォン端末機５００の筐体の内部に収納される構成要素を示す。この構成要素には、アンテナ１００が含まれる。
【００１８】
基板１０は、スマートフォン端末機５００の筐体の内部に含まれるプリント基板であり、例えば、ＦＲ−４（Flame Retardant type 4）形式のプリント基板を用いることができる。基板１０は、１枚の絶縁層と、絶縁層の表面及び裏面に形成される金属層とを含む。この金属層は、例えば、銅箔である。基板１０の大きさは、例えば、Ｘ軸方向の長さが約５０ｍｍ、Ｙ軸方向の長さが約１１０ｍｍ、Ｚ軸方向の厚さが約１ｍｍである。
【００１９】
基板１０には、アンテナ装置１００が形成される。アンテナ装置１００は、アンテナエレメント１１０、１２０、無給電素子１３０、グランドライン１４０、グランドエレメント１５０、及びスイッチ１６０を含む。
【００２０】
また、基板１０の表面には、ＤＵＰ(Duplexer)５１０、ＬＮＡ(Low Noise Amplifier)／ＰＡ(Power Amplifier)５２０、変調／復調器５３０、ＣＰＵ(Central Processing Unit：中央演算処理装置)チップ５４０、及び制御部５５０が実装される。
【００２１】
ＤＵＰ５１０、ＬＮＡ／ＰＡ５２０、変調／復調器５３０、及びＣＰＵチップ５４０は、配線５６５を介して接続されている。
【００２２】
ＤＵＰ５１０は、配線５６０を介してアンテナ装置１００のアンテナエレメント１１０に接続されており、送信又は受信の切り替えを行う。ＤＵＰ５１０は、フィルタとしての機能を有するため、アンテナ装置１００が複数の周波数の信号を受信した場合に、それぞれの周波数の信号を内部で分離することができる。
【００２３】
ＬＮＡ／ＰＡ５２０は、送信波及び受信波の電力の増幅を行う。変調／復調器５３０は、送信波の変調と受信波の復調を行う。ＣＰＵチップ５４０は、スマートフォン端末機５００の通信処理を行う通信用プロセッサとしての機能と、アプリケーションプログラムを実行するアプリケーションプロセッサとしての機能とを有する。なお、ＣＰＵチップ５４０は、送信するデータ又は受信したデータ等を格納する内部メモリを有する。
【００２４】
制御部５５０は、アンテナ装置１００に含まれるスイッチ１６０の切り替え制御を行う。このため、制御部５５０は、配線５７０を介して、アンテナ装置１００の無給電素子１３０に接続されている。
【００２５】
なお、配線５６０、５６５、５７０は、例えば、基板１０の表面の銅箔をパターニングすることによって無給電素子１３０とともに形成される。
【００２６】
図３は、実施の形態１のアンテナ装置１００を示す図である。図３は、図２から、スイッチ１６０、ＤＵＰ５１０、ＬＮＡ／ＰＡ５２０、変調／復調器５３０、ＣＰＵチップ５４０、制御部５５０、及び配線５６０、５６５、５７０を取り除いた図である。
【００２７】
図３に示すように、一例として、グランドエレメント１５０は、Ｘ軸方向の幅が５０ｍｍ、Ｙ軸方向の長さが１００ｍｍである。基板１０の表面のＹ軸正方向側の端には、グランドエレメント１５０が形成されない領域がある。この領域のＹ軸方向の長さは、一例として、１０ｍｍである。
【００２８】
図４は、図２及び図３に示すアンテナ装置１００の主要部を拡大して示す図である。図４（Ａ）は、アンテナ装置１００の表面側を示し、図４（Ｂ）は、アンテナ装置１００の裏面側を示す。図４（Ａ）、（Ｂ）には、アンテナ装置１００のスイッチ１６０を取り除いた状態を示す。
【００２９】
なお、図３及び図４では、図２と同様に、直交座標系であるＸＹＺ座標系を定義する。
【００３０】
図２乃至図４に示すように、アンテナ装置１００は、アンテナエレメント１１０、１２０、無給電素子１３０、グランドライン１４０、グランドエレメント１５０、及びスイッチ１６０を含む。
【００３１】
また、図４（Ａ）、（Ｂ）に示すように、アンテナ装置１００は、さらに、抵抗器１７１、１７２、１８１、１８２を含む。抵抗器１７１、１７２、１８１、１８２は、図２及び図３では省略されている。
【００３２】
なお、抵抗器１７２と１８２は、平面視で重なる位置に配設されるため、図４（Ａ）では抵抗器１８２を省略し、図４（Ｂ）では抵抗器１７２を省略する。
【００３３】
ここで、アンテナ装置１００は、さらに、基板１０を構成要素として含んでもよい。また、アンテナ装置１００は、スイッチ１６０を構成要素として含まなくてもよい。
【００３４】
無給電素子１３０は、図４（Ａ）に示すように、基板１０の表面の金属層をパターニングすることによって形成される。また、図４（Ｂ）に示すように、アンテナエレメント１１０、１２０、グランドライン１４０、及びグランドエレメント１５０は、基板１０の裏面の金属層をパターニングすることによって形成される。
【００３５】
アンテナエレメント１１０は、第１アンテナエレメントの一例である。アンテナエレメント１１０は、給電点になる端部１１１がグランドエレメント１５０の角部１５０Ａの近傍に位置し、端部１１１からＹ軸正方向側に延伸し、基板１０の角部１０Ａの近傍の折り曲げ部１１２でＸ軸負方向側に９０度折れ曲がり、端部１１３まで基板１０の端辺に沿ってＸ軸負方向側に延伸している。端部１１３は、一例として、基板１０のＸ軸方向における中心よりもＸ軸正方向側に位置する。
【００３６】
アンテナエレメント１１０は、Ｌ字型であり、端部１１１から端部１１３までの長さは、共振周波数ｆ１における波長λ１の１／４（λ１／４）に対応する長さに設定されている。共振周波数ｆ１は、一例として、１．９ＧＨｚである。
【００３７】
従って、アンテナエレメント１１０は、周波数ｆ１での通信を行うことができる。
【００３８】
アンテナエレメント１１０の端部１１１は、基板１０を貫通するビアを介して配線５６０の端部５６１に接続されている。アンテナエレメント１１０は、配線５６０を介して、ＤＵＰ５６０から給電される。
【００３９】
アンテナエレメント１１０の端部１１３には、スイッチ１６０の第１端子が接続される。スイッチ１６０がオンのときは、アンテナエレメント１１０の端部１１３は、アンテナエレメント１２０の端部１２１に接続される。スイッチ１６０がオフのときは、アンテナエレメント１１０の端部１１３は、アンテナエレメント１２０の端部１２１から切り離される。
【００４０】
アンテナエレメント１２０は、第２アンテナエレメントの一例である。アンテナエレメント１２０は、アンテナエレメント１１０の端部１１３からＸ軸正方向側に離間した位置に配設される端部１２１からＸ軸正方向側に延伸し、基板１０の角部１０Ｂの近傍の折り曲げ部１２２でＹ軸負方向側に折り曲げられ、端部１２３までＹ軸負方向に延伸している。
【００４１】
アンテナエレメント１２０は、Ｌ字型であり、端部１２１から端部１２３までの長さは、アンテナエレメント１１０の端部１１１から端部１１３までの長さと合わせて、共振周波数ｆ２における波長λ２の１／４（λ２／４）に対応する長さに設定されている。
【００４２】
すなわち、アンテナエレメント１１０の端部１１１から、アンテナエレメント１２０の端部１２３までの長さが、共振周波数ｆ２における波長λ２の１／４（λ２／４）に対応する長さに設定されている。共振周波数ｆ２は、アンテナエレメント１１０の共振周波数ｆ１よりも低い。共振周波数ｆ２は、一例として、０．９ＧＨｚである。
【００４３】
アンテナエレメント１２０の端部１２１は、スイッチ１６０の第２端子に接続される。スイッチ１６０がオンのときは、アンテナエレメント１２０の端部１２１は、アンテナエレメント１１０の端部１１３に接続される。スイッチ１６０がオフのときは、アンテナエレメント１２０の端部１２１は、アンテナエレメント１１０の端部１１３から切り離される。
【００４４】
アンテナエレメント１２０は、単独でアンテナとして機能するのではなく、スイッチ１６０がオンのときにアンテナエレメント１１０の先端側に接続されることにより、アンテナエレメント１１０と１２０とを合わせた状態で、アンテナとして機能する。この場合の給電点は、端部１１１である。
【００４５】
従って、アンテナエレメント１１０と１２０とを合わせたアンテナエレメントは、周波数ｆ２での通信を行うことができる。
【００４６】
なお、アンテナエレメント１２０の端部１２１から折り曲げ部１２２までの間をエレメント部１２０Ａとし、折り曲げ部１２２から端部１２３までの間をエレメント部１２０Ｂとする。
【００４７】
無給電素子１３０は、図２に示す制御部５５０とスイッチ１６０の制御端子とを接続する制御線として用いられるとともに、無給電素子として機能するエレメントである。
【００４８】
ここで、実施の形態１における無給電素子とは、給電点から直接的にＲＦ(Radio Frequency：高周波)信号が印加されることなく、ＲＦ信号に対して電位的に浮遊しているエレメントであり、ＲＦ信号を受けることによってＲＦ信号の共振を発生するエレメントをいう。
【００４９】
無給電素子１３０の端部１３１は、平面視でグランドエレメント１５０の近傍に位置しており、抵抗器１７１を介して、配線５７０の端部５７１に接続されている。無給電素子１３０は、端部１３１からＹ軸正方向側に延伸し、折り曲げ部１３２でＸ軸正方向側に折れ曲がってＸ軸正方向に延伸する。また、無給電素子１３０は、折り曲げ部１３３でＹ軸正方向側に折れ曲がり、さらに折り曲げ部１３４でＸ軸負方向側に折れ曲がり、Ｘ軸負方向に端部１３５まで延伸する。
【００５０】
端部１３５のＸ軸負方向側には、端部１３６が位置しており、端部１３６からＹ軸正方向側に折れ曲がり、端部１３７まで延伸している。図４（Ａ）に示すように、端部１３５と端部１３６との間には、抵抗器１７２が接続される。また、端部１３７には、スイッチ１６０（図２及び図３参照）の制御端子が接続される。
【００５１】
無給電素子１３０の端部１３１から１３５までの長さは、共振周波数ｆ３における波長λ３の１／２（λ３／２（λ３の半波長））に対応する長さに設定されている。共振周波数ｆ３は、一例として、１．５ＧＨｚである。
【００５２】
このように無給電素子１３０の端部１３１から１３５までの長さを設定するのは、無給電素子１３０をダイポールアンテナとして利用するためである。
【００５３】
ここで、無給電素子１３０の端部１３１から折り曲げ部１３４までをエレメント部１３０Ａとし、折り曲げ部１３４から端部１３５までをエレメント部１３０Ｂとする。
【００５４】
エレメント部１３０Ｂは、アンテナエレメント１２０の端部１２１と折り曲げ部１２２との間のエレメント部１２０Ａの近傍で、エレメント部１２０Ａと平行に配置されている。エレメント部１３０Ｂとエレメント部１２０Ａとの間のＹ軸方向の間隔は、アンテナエレメント１２０が給電されているときに、エレメント部１２０Ａとエレメント部１３０Ｂとの間に電磁結合が生じ、エレメント部１２０Ａとエレメント部１３０Ｂとの間で電磁結合によって電力の受け渡しが行われる間隔に設定されている。
【００５５】
このため、スイッチ１６０がオンにされてアンテナエレメント１１０と１２０とが接続された状態で、アンテナエレメント１１０及び１２０が給電を受けると、エレメント部１２０Ａとエレメント部１３０Ｂとの間の電磁結合により、無給電素子１３０に共振が生じる。
【００５６】
この場合に、無給電素子１３０は、給電点であるアンテナエレメント１１０の端部１２１から直接的に給電を受けるのではなく、エレメント部１２０Ａから電磁結合によって共振が生じる。これにより、無給電素子１３０は、共振周波数ｆ３での通信を行うことができるようになる。
【００５７】
なお、エレメント部１３０Ａは、エレメント部１２０Ａとの間で電磁結合が生じない程度に、エレメント部１２０Ａから離間している。
【００５８】
抵抗器１７１及び１７２は、例えば、１０ｋΩ程度の非常に高い抵抗値を有している。また、制御部５５０からスイッチ１６０のオン／オフを切り替えるために出力される制御信号は、Ｈ(High)レベル又はＬ(Low)レベルを表す直流電圧による信号である。
【００５９】
このため、無給電素子１３０は、制御部５５０からスイッチ１６０のオン／オフを切り替えるために出力される制御信号をスイッチ１６０の制御端子に伝達する。
【００６０】
一方、無給電素子１３０は、端部１３１及び１３５にそれぞれ抵抗器１７１及び１７２が接続されているため、交流信号に対しては両端がオープンの素子である。このため、無給電素子１３０は、周波数ｆ３のＲＦ信号の共振を生じさせる。
【００６１】
なお、ここでは、端部１３６と端部１３７との間も無給電素子１３０の一部として取り扱うが、実際に浮遊素子として機能するのは、端部１３１と端部１３５の間の連続的な胴体部分である。このため、端部１３６と端部１３７との間は、無給電素子１３０の一部ではなく、端子として取り扱ってもよい。
【００６２】
また、ここでは、端部１３５と端部１３６との間に抵抗器１７２を挿入する形態について説明するが、端部１３５と端部１３６との間を切り離すことなく連続的な導体として形成し、端部１３７とスイッチ１６０の制御端子との間に抵抗器１７２を挿入してもよい。この場合は、端部１３１と端部１３７との間の長さが、共振周波数ｆ３における波長λ３の１／２（λ３／２）に対応する長さに設定されていればよい。
【００６３】
無給電素子１３０の共振周波数ｆ３における共振によって受信される信号は、無給電素子１３０のエレメント部１３０Ｂから、アンテナエレメント１２０のエレメント部１２０Ａを経て、さらにアンテナエレメント１１０を経て、給電点になる端部１１１に到達する。無給電素子１３０の共振周波数ｆ３における共振によって送信される信号は、受信時とは逆方向にアンテナエレメント１１０とエレメント部１２０Ａを伝送される。
【００６４】
なお、無給電素子１３０は、上述のように無給電素子として機能するエレメントであるため、少なくとも端部１３１と端部１３５との間は、平面視でグランドエレメント１５０が形成されない領域に配置されることが必要である。
【００６５】
グランドライン１４０は、グランドエレメント１５０の近傍に位置する端部１４１から、端部１４２までＹ軸正方向に延伸するとともに、端部１４２からＹ軸正方向側に離間して配設される端子１４３を有する。
【００６６】
端部１４１は、抵抗器１８１を介して、グランドエレメント１５０に接続されている。また、端部１４２と端子１４３との間には、抵抗器１８２が接続されている。端子１４３は、スイッチ１６０のグランド端子に接続される。
【００６７】
これにより、スイッチ１６０のグランド端子は、グランドライン１４０を介して、グランドエレメント１５０に接続されている。すなわち、グランドライン１４０は、スイッチ１６０のグランド端子をグランド電位に保持するために設けられている。
【００６８】
ここで、端部１４１とグランドエレメント１５０との間に抵抗器１８１を挿入しているのは、グランドライン１４０を直接的にグランドエレメント１５０に接続すると、モノポールアンテナとして機能する可能性があるため、グランドエレメント１５０との間を交流的に切り離すためである。
【００６９】
また、端部１４２と端子１４３との間に抵抗器１８２を挿入しているのは、スイッチ１６０の内部のグランド電位のラインと切り離すためである。スイッチ１６０の内部のグランド電位のラインの形状によっては、スイッチ１６０の内部のグランド電位のラインがアンテナとして機能する場合があり得るからである。
【００７０】
グランドライン１４０の長さが、最も短いアンテナエレメント１１０の長さに近いと、グランドライン１４０に周波数ｆ１の共振が生じるおそれがある。
【００７１】
このような事態を抑制するために、実施の形態１では、スイッチ１６０のグランド端子とグランドエレメント１５０とを接続するグランドライン１４０の両端にそれぞれ抵抗器１８１及び１８２を挿入することにより、グランドライン１４０がモノポールアンテナとして機能することを抑制している。
【００７２】
なお、スイッチ１６０の内部のグランド電位のラインがアンテナとして機能するおそれがない場合には、抵抗器１８２を挿入せずに、グランドライン１４０をスイッチ１６０のグランド端子に直接的に接続してもよい。
【００７３】
グランドエレメント１５０は、図３に示すように、基板１０の裏面側のＹ軸正方向側の端の領域を除いた部分に形成されている。グランドエレメント１５０は、グランド電位に保持される。グランドエレメント１５０と平面視で重複する領域には、図２に示すように、基板１０の表面側に、スイッチ１６０、ＤＵＰ５１０、ＬＮＡ／ＰＡ５２０、変調／復調器５３０、ＣＰＵチップ５４０、制御部５５０、及び配線５６０、５６５、５７０が配設される。
【００７４】
スイッチ１６０は、第１端子がアンテナエレメント１１０の端部１１３に接続され、第２端子がアンテナエレメント１２０の端部１２１に接続され、制御端子が端部１３７に接続され、グランド端子が端子１４３に接続される。
【００７５】
スイッチ１６０は、基板１０の表面側に配設されるため、アンテナエレメント１１０の端部１１３、アンテナエレメント１２０の端部１２１、及び端子１４３とは、それぞれ、基板１０を貫通するビア１１３Ａ、１２１Ａ、１４３Ａによって接続される。
【００７６】
スイッチ１６０は、無給電素子１３０を介して制御部５５０から制御端子に入力される制御信号によってオン／オフが切り替えられ、これにより、第１端子と第２端子との間の接続を切り替える。
【００７７】
スイッチ１６０は、制御信号がＨレベルの場合は、オンになって第１端子と第２端子との間を接続し、制御信号がＬレベルの場合は、オフになって第１端子と第２端子との間を切り離す。
【００７８】
スイッチ１６０は、例えば、ＳＰＳＴ（Single Pole Single Throw）スイッチを用いればよい。ＳＰＳＴスイッチは、例えば、ガリウムヒ素（ＧａＡｓ）半導体で作製されるトランジスタ、又は、ＭＥＭＳ(Micro Electro Mechanical Systems)スイッチを用いればよい。
【００７９】
抵抗器１７１、１７２、１８１、１８２は、上述のように、それぞれ、端部１３１と配線５７０の端部５７１との間、端部１３５と端部１３６との間、端部１４１とグランドエレメント１５０との間、端部１４２と端子１４３との間に挿入され、交流的に切り離すために用いられる。
【００８０】
抵抗器１７１、１７２、１８１、１８２は、上述のように、無給電素子１３０とグランドライン１４０の両端を交流的に切り離すために用いられるため、十分に大きな抵抗値を有する抵抗器であればよい。
【００８１】
配線５６０、５７０は、平面視でグランドエレメント１５０と重なる領域に形成される。これは、配線５６０、５７０の特性インピーダンスの整合を取るためである。
【００８２】
配線５６０は、ＤＵＰ５１０とアンテナエレメント１１０との間を接続し、配線５７０は、制御部５５０と無給電素子１３０との間を接続する。
【００８３】
次に、図５を用いて、実施の形態１のアンテナ装置１００の放射特性について説明する。
【００８４】
図５は、実施の形態１のアンテナ装置１００の放射特性を示す図である。ここでは、放射特性として、一例として、Ｓ１１パラメータの周波数特性を示す。
【００８５】
図５には、スイッチ１６０をオンにして得たＳ１１パラメータの周波数特性を実線で示し、スイッチ１６０をオフにして得たＳ１１パラメータの周波数特性を破線で示す。
【００８６】
ここでは、一例として、Ｓ１１パラメータの値の評価基準を−６ｄＢとし、−６ｄＢ以下の帯域がアンテナ装置１００の通信可能な領域であるものとして評価を行う。
【００８７】
スイッチ１６０をオンにすると、約８３０ＭＨｚ〜約９６０ＭＨｚと、約１．５ＧＨｚの前後の約０．５ＧＨｚ幅の領域の２つの帯域で通信可能であることが分かる。
【００８８】
すなわち、スイッチ１６０をオンにすると、アンテナエレメント１１０と１２０とが接続され、共振周波数ｆ１（０．９ＧＨｚ）での通信を行うことができる。また、これと同時に、アンテナエレメント１２０のエレメント部１２０Ａと、無給電素子１３０のエレメント部１３０Ｂとの電磁結合によって無給電素子１３０で共振周波数ｆ３での共振が生じている。このため、スイッチ１６０をオンにすると、共振周波数ｆ１（０．９ＧＨｚ）と共振周波数ｆ３（１．５ＧＨｚ）での通信を行うことができることが分かる。
【００８９】
スイッチ１６０をオフにすると、約１．７ＧＨｚ〜約２．１ＧＨｚの帯域で通信可能であることが分かる。
【００９０】
これは、スイッチ１６０によってアンテナエレメント１１０からアンテナエレメント１２０が切り離されることにより、アンテナエレメント１１０の単独での共振による通信が可能であることを示している。
【００９１】
また、スイッチ１６０がオフの時は、アンテナエレメント１１０からアンテナエレメント１２０が切り離されるため、アンテナエレメント１２０には給電が行われない。このため、アンテナエレメント１２０のエレメント部１２０Ａと、無給電素子１３０のエレメント部１３０Ｂとの間には電磁結合は生じず、無給電素子１３０は動作しない。
【００９２】
以上より、スイッチ１６０をオフにすると、アンテナエレメント１１０が周波数ｆ２で通信可能になることが分かる。
【００９３】
ここで、日本国内での周波数の割り当てによれば、約８３０ＭＨｚ〜約９６０ＭＨｚは、ＷＣＤＭＡ(登録商標)(Wideband Code Division Multiple Access) 又はＧＳＭ(登録商標)（Global System for Mobile communications）で利用可能な帯域である。
【００９４】
また、約１．５ＧＨｚは、ＬＴＥで利用可能な帯域である。約１．７ＧＨｚ〜約２．１ＧＨｚは、ＷＣＤＭＡ又はＧＳＭで利用可能な帯域である。
【００９５】
以上より、スイッチ１６０をオンにしてアンテナエレメント１１０と１２０とを接続することにより、約８３０ＭＨｚ〜約９６０ＭＨｚと約１．５ＧＨｚを選択することができることが分かる。
【００９６】
また、スイッチ１６０をオフにして、アンテナエレメント１１０と１２０を切り離すことにより、約１．７ＧＨｚ〜約２．１ＧＨｚを選択することができることが分かる。
【００９７】
例えば、スマートフォン端末機５００が通話状態にあるときは、スイッチ１６０をオンにすることにより、アンテナエレメント１１０と１２０を用いて約８３０ＭＨｚ〜約９６０ＭＨｚ（ｆ１）でＷＣＤＭＡ又はＧＳＭでの通信が可能になる。
【００９８】
あるいは、スマートフォン端末機５００が通話状態にあるときは、スイッチ１６０をオフにすることにより、アンテナエレメント１１０を用いて約１．７ＧＨｚ〜約２．１ＧＨｚ（ｆ２）でＷＣＤＭＡ又はＧＳＭでの通信が可能になる。
【００９９】
また、スマートフォン端末機５００のアプリケーションプログラム（例えば、地図を利用するアプリケーションプログラム）が利用されているときは、スイッチ１６０をオンにすることにより、無給電素子１３０を用いて、約１．５ＧＨｚ（ｆ３）でのＬＴＥ用の通信が可能になる。
【０１００】
以上、実施の形態１によれば、スイッチ１６０のオン／オフを制御するための制御線の両端に抵抗器１７１、１７２を挿入することにより、制御線が無給電素子１３０として機能するようにした。
【０１０１】
そして、無給電素子１３０のエレメント部１３０Ｂをアンテナエレメント１２０のエレメント部１２０Ａの近傍に平行に配置することにより、アンテナエレメント１２０が給電されたときに、エレメント部１２０Ａとエレメント部１３０Ｂとの電磁結合により、無給電素子１３０に共振が生じるようにした。
【０１０２】
無給電素子１３０の端部１３１から１３５までの長さは、共振周波数ｆ３における波長λ３の１／２（λ３／２（λ３の半波長））に対応する長さに設定されており、無給電素子１３０は、共振周波数ｆ３を有するダイポールアンテナとして機能する。
【０１０３】
このため、実施の形態１によれば、アンテナエレメント１１０、１２０と、無給電素子１３０とを用いることにより、３つの周波数帯域を利用可能なアンテナ装置１００を提供することができる。
【０１０４】
アンテナ装置１００は、アンテナエレメント１２０のエレメント部１２０Ａの近傍に配設されるエレメント部１３０Ｂを含む無給電素子１３０には、直接的に給電が行われない。このため、従来のアンテナ装置のように特性が低下することが抑制され、特性の良好なアンテナ装置１００を提供することができる。
【０１０５】
また、実施の形態１では、３つの周波数帯域を利用可能にすることにより、マルチバンド化を実現したアンテナ装置１００を提供できる。
【０１０６】
また、実施の形態１のアンテナ装置１００では、アンテナエレメント１１０と１２０の接続を切り替えるためのスイッチ１６０をグランドエレメント１５０から離れた位置に配設している。
【０１０７】
基板１０の裏面には、Ｙ軸正方向側のＹ軸方向の長さが１０ｍｍでＸ軸方向の幅が約５０ｍｍの領域を除いて、略一面にグランドエレメント１５０が形成されており、図２乃至図４に示すように、スイッチ１６０は、基板１０の表面のＹ軸正方向側の端に配設されている。
【０１０８】
ここで、スイッチ１６０を制御する制御部５５０は、平面視でグランドエレメント１５０と重複する領域に配置される。これは、制御部５５０にはグランド面が必要だからである。
【０１０９】
ところで、スイッチ１６０をグランドエレメント１５０から離れた位置に配置すると、スイッチ１６０の制御端子と制御部５５０とを結ぶ制御線（無給電素子１３０）と、スイッチ１６０のグランド端子とグランドエレメント１５０とを結ぶグランドライン１４０の長さが長くなる。
【０１１０】
制御線（無給電素子１３０）とグランドライン１４０は、平面視グランドエレメント１５０とは重複しない領域に配設される。
【０１１１】
もし仮に、スイッチ１６０の制御端子と制御部５５０とを接続する制御線が、実施の形態１の無給電素子１３０のように両端が抵抗器１７１及び１７２で交流的にオープン（開放）にされた構成ではない場合は、グランドエレメント１５０とは重複しない領域に、インピーダンス整合の取れていない制御線が配設されることになる。
【０１１２】
同様に、もし仮に、スイッチ１６０のグランド端子とグランドエレメント１５０とを接続するグランドラインが、実施の形態１のグランドライン１４０のように両端が抵抗器１８１及び１８２で交流的にオープン（開放）にされた構成ではない場合は、グランドエレメント１５０とは重複しない領域に、インピーダンス整合の取れていないグランドラインが配設されることになる。
【０１１３】
このようにインピーダンス整合の取れていない制御線とグランドラインは、アンテナエレメント１１０、１２０の放射特性を劣化させる要因になり得る。
【０１１４】
このため、実施の形態の制御線（無給電素子１３０）とグランドライン１４０のように両端が抵抗器で交流的にオープン（開放）にされた構成ではない場合は、制御線とグランドラインの長さを短くするために、スイッチ１６０をグランドエレメント１５０になるべく近い位置に配置することが必要になる。
【０１１５】
このようにスイッチ１６０をグランドエレメント１５０の近傍に配置すると、アンテナエレメント１１０、１２０がグランドエレメント１５０に近づくことになるため、アンテナエレメント１１０、１２０の放射特性が劣化する原因になる。
【０１１６】
また、スイッチ１６０をグランドエレメント１５０の近傍に配置すると、スイッチ１６０を配置する位置が非常に限定されるため、アンテナエレメント１１０、１２０の形状、又は、配置等の自由度を著しく損ねることになる。
【０１１７】
これに対して、実施の形態１のアンテナ装置１００では、スイッチ１６０の制御端子と制御部５５０とを接続する制御線の両端にそれぞれ抵抗器１７１及び１７２を挿入することにより、制御線を無給電素子１３０として利用している。
【０１１８】
また、実施の形態１のアンテナ装置１００では、スイッチ１６０のグランド端子とグランドエレメント１５０とを接続するグランドライン１４０の両端にそれぞれ抵抗器１８１及び１８２を挿入することにより、グランドライン１４０がモノポールアンテナとして機能することを抑制している。
【０１１９】
そして、このような構成により、実施の形態１のアンテナ装置１００では、スイッチ１６０をグランドエレメント１５０から離れた位置に配置しつつ、良好な特性を得ることを実現している。
【０１２０】
従って、実施の形態１によれば、良好な特性を実現できることに加えて、アンテナエレメント１１０、１２０とスイッチ１６０の配置の自由度を大幅に向上させたアンテナ装置１００を提供することができる。
【０１２１】
特に、スマートフォン端末機５００の筐体の内部では、アンテナ装置１００を配置することのできる空間は限られている。図２乃至４に一例として示すように、基板１０のＸ軸方向の長さが約５０ｍｍ、Ｙ軸方向の長さが約１１０ｍｍである場合に、アンテナエレメント１１０、１２０を配置できる領域は、Ｙ軸正方向側の端にある、Ｘ軸方向の長さが約５０ｍｍでＹ軸方向の長さが約１０ｍｍの非常に狭い領域である。
【０１２２】
従って、実施の形態１のアンテナ装置１００のように、アンテナエレメント１１０、１２０とスイッチ１６０の配置の自由度を大幅に向上できることは、スマートフォン端末機５００の内部にアンテナ装置１００を配置する際に、非常に有効的である。
【０１２３】
なお、以上では、アンテナエレメント１１０、１２０が図２乃至図４に示すような形状を有する形態について説明したが、アンテナエレメント１１０、１２０の形状は、Ｌ字型に限られない。例えば、アンテナエレメント１１０又は１２０をミアンダ状にしてもよい。
【０１２４】
また、無給電素子１３０とグランドエレメント１５０の形状も、図２乃至図４に示す形状に限定されず、適宜他の形状に変更することが可能である。この場合に、無給電素子１３０は、スイッチ１６０がオンにされたときに、アンテナエレメント１２０のエレメント部１２０Ａと電磁結合するエレメント部１３０Ｂを有していればよい。
【０１２５】
例えば、無給電素子１３０を、アンテナエレメント１１０の端部１１１と折り曲げ部１１２との間の区間、又は、折り曲げ部１１２と端部１１３との間の区間と、電磁結合するようにパターニングしてもよい。この場合は、スイッチ１６０のオン／オフに関わらずに、無給電素子１３０による周波数ｆ３での通信を行うことができる。
【０１２６】
また、以上では、基板１０がＦＲ−４規格の基板である形態について説明した。しかしながら、基板１０は可撓性のあるフレキシブル基板であってもよい。フレキシブル基板としては、例えば、ポリイミド等の樹脂製の基板を用いればよい。基板１０がフレキシブル基板である場合は、基板１０を折り曲げることにより、アンテナエレメント１１０、１２０、及び無給電素子１３０がグランドエレメント１５０に対して角度を有するように、あるいは、グランドエレメント１５０に近づくようにしてもよい。
【０１２７】
また、以上では、グランドライン１４０の両端にそれぞれ抵抗器１８１及び１８２を挿入することにより、グランドライン１４０がモノポールアンテナとして機能することを抑制する形態について説明した。
【０１２８】
しかしながら、アンテナエレメント１１０の長さとグランドライン１４０の長さが十分に異なり、グランドライン１４０がモノポールアンテナとして機能するおそれがない場合には、抵抗器１８１を取り除いて、図６に示すような構成にしてもよい。
【０１２９】
図６は、実施の形態１の変形例のアンテナ装置１００Ａの主要部を拡大して示す図である。図６（Ａ）は、アンテナ装置１００Ａの表面側を示し、図６（Ｂ）は、アンテナ装置１００Ａの裏面側を示す。図６（Ａ）、（Ｂ）は、図４（Ａ）、（Ｂ）に対応する図面であるため、図４（Ａ）、（Ｂ）と同様に、直交座標系であるＸＹＺ座標系を定義する。
【０１３０】
アンテナ装置１００Ａは、図４（Ａ）、（Ｂ）に示すアンテナ装置１００の抵抗器１８１を取り除き、グランドライン１４０をグランドエレメント１５０に直接的に接合したものである。
【０１３１】
このため、グランドライン１４０Ａの端部１４１Ａは、グランドエレメント１５０に直接的に接続されている。その他の構成は、図２乃至図４に示すアンテナ装置１００と同様であるため、同様の構成要素には同一符号を付し、その説明を省略する。
【０１３２】
図６（Ａ）、（Ｂ）では、グランドライン１４０Ａをモノポールアンテナとして機能させるために、端部１４１Ａをグランドエレメント１５０に直接的に接続している。換言すれば、グランドライン１４０Ａは、無給電のスタブとして機能する。
【０１３３】
グランドライン１４０Ａの端部１４１Ａと端部１４２との間の長さは、共振周波数ｆ４における波長λ４の１／４（λ４／４）に対応する長さに設定されている。共振周波数ｆ４は、一例として、２．２ＧＨｚである。
【０１３４】
グランドライン１４０Ａの共振周波数ｆ４における共振によって受信される信号は、アンテナエレメント１１０を経て、給電点になる端部１１１に到達する。これは、グランドライン１４０Ａが、アンテナエレメント１１０の端部１１１と折り曲げ部１１２との間の区間と平行であり、電磁結合するからである。グランドライン１４０Ａの共振周波数ｆ４における共振によって送信される信号は、受信時とは逆方向にアンテナエレメント１１０、無給電素子１３０を伝送される。
【０１３５】
このように、アンテナエレメント１１０の長さとグランドライン１４０Ａの長さが十分に異なる場合には、図６（Ａ）、（Ｂ）に示すようにグランドライン１４０Ａをモノポールアンテナとして機能させることにより、良好な特性の実現と、配置の自由度の大幅な向上に加えて、さらなるマルチバンド化を実現したアンテナ装置１００Ａを提供できる。
【０１３６】
また、以上では、１つの無給電素子１３０を含む形態について説明したが、２つ以上の無給電素子を含んでもよい。
【０１３７】
例えば、アンテナエレメント１１０の先端側に、アンテナエレメント１２０と同様のアンテナエレメントを１つ追加するとともに、無給電素子１３０と同様の無給電素子を１つ追加し、アンテナエレメント１１０の先端にアンテナエレメント１２０又は追加のアンテナエレメントを接続できるようにすればよい。
【０１３８】
この場合に、スイッチ１６０として、ＳＰＳＴを２つ含むＳＰＤＴ（Single Pole Double Throw）スイッチを用いて、無給電素子１３０と、追加の無給電素子とをスイッチ１６０の制御線として用いて、アンテナエレメント１１０に接続するアンテナエレメント１２０又は追加のアンテナエレメントを接続できるようにすればよい。
【０１３９】
また、この場合に、追加のアンテナエレメントの長さをアンテナエレメント１２０とは異なるようにすれば、共振周波数ｆ１、ｆ２とは異なる共振周波数での通信が可能になる。また、追加の無給電素子と無給電素子１３０の長さが異なるようにすれば、共振周波数ｆ３とは異なる共振周波数での通信が可能になり、さらなるマルチバンド化を図ることができる。
【０１４０】
＜実施の形態２＞
図７及び図８は、実施の形態２のアンテナ装置の要部を示す図である。実施の形態２のアンテナ装置は、図２乃至図４に示す実施の形態１のアンテナ装置１００又は図６に示す実施の形態１の変形例のアンテナ装置１００Ａの一部を変形したものである。なお、図７及び図８には、アンテナ装置２００Ｂ、２００Ｃ、２００Ｄの裏面側を示す。
【０１４１】
図７に示すアンテナ装置２００Ｂのように、グランドライン２４０Ｂは、端部１４１と端部１４２との間からＸ軸負方向側に分岐し、端部２４３まで延伸する分岐部２４４を有していてもよい。このようなグランドライン２４０Ｂは、図４（Ａ）に示す実施の形態１のグランドライン１４０の端部１４１と端部１４２との間から分岐部２４４を分岐させたものである。分岐部２４４の端部２４３はオープン（開放）されている。すなわち、端部２４３は開放端である。
【０１４２】
このようなグランドライン２４０Ｂは、開放端である端部２４３と端部１４１又は端部１４２との間がダイポールアンテナとして機能する。このため、開放端である端部２４３と端部１４１又は端部１４２との間の長さを共振周波数ｆ５における波長λ５の１／２（λ５／２）に対応する長さに設定すればよい。
【０１４３】
グランドライン２４０Ｂの共振周波数ｆ５における共振によって受信される信号は、アンテナエレメント１１０を経て、給電点になる端部１１１に到達する。グランドライン２４０Ｂの共振周波数ｆ５における共振によって送信される信号は、受信時とは逆方向にアンテナエレメント１１０、無給電素子１３０を伝送される。
【０１４４】
アンテナ装置２００Ｂは、周波数ｆ５における通信が可能になるため、さらなるマルチバンド化を図ることができる。
【０１４５】
また、図８（Ａ）に示すアンテナ装置２００Ｃのように、グランドライン２４０Ｃは、端部１４１Ａと端部１４２との間に、平面視でテーパ状に形成されたテーパ部２４５を有していてもよい。
【０１４６】
図８（Ａ）に示すアンテナ装置２００Ｃは、図６（Ａ）に示すアンテナ装置１００Ａの端部１４１Ａと端部１４２との間の一部分の幅を平面視でテーパ状に拡げることにより、テーパ部２４５を形成したものである。
【０１４７】
テーパ部２４５を用いると、広帯域化を図ることができることが電磁界シミュレーションで分かっている。このため、グランドライン２４０Ｃにテーパ部２４５を形成することにより、周波数ｆ４による通信帯域の広帯域化を図ることができる。
【０１４８】
なお、テーパ部２４５は、無給電素子１３０に形成してもよい。
【０１４９】
また、図８（Ｂ）に示すアンテナ装置２００Ｄのように、グランドライン２４０Ｄは、端部１４１Ａと端部１４２との間に、キャパシタチップ２４６を有していてもよい。
【０１５０】
キャパシタチップ２４６は、チップ型のキャパシタであり、図８（Ｂ）に示すように端部１４１Ａと端部１４２との間に設けることにより、端部１４１Ａと端部１４２との間に、キャパシタチップ２４６によるキャパシタが直列に挿入される。
【０１５１】
このように、キャパシタチップ２４６を有することにより、グランドライン２４０Ｄの共振周波数ｆ４を調整することができる。
【０１５２】
また、キャパシタチップ２４６の代わりに、インダクタチップを挿入してもよいし、キャパシタチップ２４６の代わりにスイッチを挿入して、グランドライン２４０Ｄとグランドライン２４０Ｃとの接続状態を切り替えられるようにしてもよい。なお、キャパシタチップ２４６は、無給電素子１３０に設けてもよい。
【０１５３】
以上のように、実施の形態２によれば、実施の形態１と同様に、良好な特性の実現と、配置の自由度の大幅な向上と、マルチバンド化とを実現したアンテナ装置２００Ｂ、２００Ｃ、２００Ｄを提供することができる。
【０１５４】
以上、本発明の例示的な実施の形態のアンテナ装置について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
グランドエレメントと、
前記グランドエレメント側に配設される給電点から、前記給電点とは反対側の端部まで延伸する第１アンテナエレメントと、
一端が前記第１アンテナエレメントの前記端部から離間して配設される第２アンテナエレメントと、
前記第１アンテナエレメントの前記端部と、前記第２アンテナエレメントの前記一端との間に配設され、前記第１アンテナエレメントと前記第２アンテナエレメントとの接続状態を切り替えるスイッチと、
平面視で前記グランドエレメントと重複する領域に設けられるスイッチ制御部に一端が接続され、前記一端から他端まで延伸する第１延伸部と、前記第１延伸部の前記他端から前記第２アンテナエレメントに沿って延伸し、前記スイッチの制御端子に接続される第２延伸部とを有し、平面視で前記グランドエレメントと重複しない領域に配設される、無給電素子と、
前記グランドエレメントと、前記スイッチのグランド端子とを接続するグランドラインと
を含む、アンテナ装置。
（付記２）
前記無給電素子は、前記スイッチがオンにされると、前記第２延伸部と前記第２アンテナエレメントとの結合によって前記第２アンテナエレメントから給電される、付記１記載のアンテナ装置。
（付記３）
前記無給電素子は、前記スイッチがオフにされると給電が行われない状態になる、付記２記載のアンテナ装置。
（付記４）
前記無給電素子の前記一端と、前記スイッチ制御部との間に直列に挿入される第１抵抗器と、
前記スイッチの前記制御端子に接続される前記無給電素子の他端と、前記制御端子との間に直列に挿入される第２抵抗器と
をさらに含む、付記１乃至３のいずれか一項記載のアンテナ装置。
（付記５）
前記第１アンテナエレメントと前記第２アンテナエレメントとの合計の長さは、第１共振周波数における波長の１／４の長さに対応するとともに、前記第１アンテナエレメントの長さは、前記第１共振周波数よりも高い異なる第２共振周波数における波長の１／４の長さに対応しており、
前記無給電素子は、前記第１共振周波数及び前記第２共振周波数とは異なる所定の共振周波数における波長の１／２の長さに対応する長さを有する、付記１乃至５のいずれか一項記載のアンテナ装置。
（付記６）
前記第１アンテナエレメントと前記第２アンテナエレメントとの合計の長さは、第１共振周波数における波長の１／４の長さに対応するとともに、前記第１アンテナエレメントの長さは、前記第１共振周波数よりも高い異なる第２共振周波数における波長の１／４の長さに対応しており、
前記グランドラインは、前記グランドエレメントに直接接続されるとともに、前記スイッチのグランド端子には抵抗器を介して接続されており、前記グランドラインは、前記第１共振周波数及び前記第２共振周波数とは異なる所定の共振周波数における波長の１／４の長さに対応する長さを有する、付記１乃至５のいずれか一項記載のアンテナ装置。
（付記７）
前記グランドラインの一端と前記グランドエレメントとの間に直列に挿入される第１抵抗部と、
前記グランドラインの他端と前記スイッチとの間に直列に挿入される第２抵抗部と
をさらに含むとともに、
前記グランドラインは、前記一端と前記他端との間から分岐し、先端が開放される分岐部を有しており、
前記第１アンテナエレメントと前記第２アンテナエレメントとの合計の長さは、第１共振周波数における波長の１／４の長さに対応するとともに、前記第１アンテナエレメントの長さは、前記第１共振周波数よりも高い異なる第２共振周波数における波長の１／４の長さに対応しており、
前記グランドラインの前記分岐部の前記先端と前記グランドラインの前記一端との間の長さ、又は、前記グランドラインの前記分岐部の前記先端と前記グランドラインの前記他端との間の長さは、前記第１共振周波数及び前記第２共振周波数とは異なる所定の共振周波数における波長の１／４の長さに対応する長さを有する、付記１乃至５のいずれか一項記載のアンテナ装置。
（付記８）
前記無給電素子又は前記グランドラインに直列に挿入される、抵抗器、スイッチ、キャパシタ、又はインダクタをさらに含む、付記１乃至７記載のアンテナ装置。
（付記９）
前記無給電素子又は前記グランドラインに直列に挿入される、平面視でテーパ状に形成されるテーパ部をさらに含む、付記１乃至８のいずれか一項記載のアンテナ装置。
（付記１０）
前記無給電素子とは長さの異なる第２の無給電素子をさらに含む、付記１乃至８のいずれか一項記載のアンテナ装置。
（付記１１）
前記給電部に接続されるフィルタをさらに含み、
前記第１アンテナエレメントと前記第２アンテナエレメントとの合計の長さは、第１共振周波数における波長の１／４の長さに対応しているとともに、前記第１アンテナエレメントの長さは、前記第１共振周波数よりも高い異なる第２共振周波数における波長の１／４の長さに対応しており、
前記フィルタは、前記第１共振周波数又は前記第２共振周波数の信号を内部で分離する、付記１乃至１０のいずれか一項記載のアンテナ装置。
（付記１２）
前記第１アンテナエレメントは、前記給電点から延伸する第１部と、前記第１部の先端から折り曲げられて延伸する第２部とを有するＬ字型のアンテナエレメントであり、
前記第２アンテナエレメントは、一端が前記第２部の先端から離間して配設され、前記一端とは反対側の他端に向けて前記第２部を延長する方向に延伸するアンテナエレメントである、付記１乃至１１のいずれか一項記載のアンテナ装置。
【符号の説明】
【０１５５】
１００、１００Ａ、２００Ｂ、２００Ｃ、２００Ｄ  アンテナ装置
１１０  アンテナエレメント
１２０  アンテナエレメント
１２０Ａ、１２０Ｂ  エレメント部
１３０  無給電素子
１３０Ａ、１３０Ｂ  エレメント部
１４０、１４０Ａ、２４０Ｂ、２４０Ｃ、２４０Ｄ  グランドライン
１５０  グランドエレメント
１６０  スイッチ
１７１、１７２、１８１、１８２  抵抗器
２４４  分岐部
２４５  テーパ部
２４６  キャパシタチップ
【図１】
2014192616.tif 000003
【図２】
2014192616.tif 000004
【図３】
2014192616.tif 000005
【図４】
2014192616.tif 000006
【図５】
2014192616.tif 000007
【図６】
2014192616.tif 000008
【図７】
2014192616.tif 000009
【図８】
2014192616.tif 000010